(57)【要約】【課題】光ファイバ心線がスロットの溝から脱落するのを防止する粗巻き紐を、確実に切断除去することができる光ケーブルコアの解体方法及び解体装置を提供する。【解決手段】溝付きスロット２の溝２ａ内に光ファイバ心線４を収納し、スロット２の外周に粗巻き紐５を施してなる光ケーブルコアの解体方法及び解体装置であって、熱線手段１６等により粗巻き紐５の融点より高い温度を加えることにより、粗巻き紐５を溶融切断するようにしたものである。また、押え巻きテープ６の上から、光ケーブルコアの長手方向に沿って、粗巻き紐５の融点より高い温度に保持したカッター１５を用いて、押え巻きテープ６と粗巻き紐５を切断するようにしてもよい。さらに、切断した粗巻き紐５がスロット２上に付着する場合は、ブラシ手段１７で取り除くようにする。【選択図】図１
2007279200.tif 000002
【特許請求の範囲】
【請求項１】
溝付きスロットの溝内に光ファイバ心線を収納し、前記スロットの外周に粗巻き紐を施してなる光ケーブルコアの解体方法であって、
前記粗巻き紐の融点より高い温度を加えることにより、前記粗巻き紐を溶融切断することを特徴とする光ケーブルコアの解体方法。
【請求項２】
溝付きスロットの溝内に光ファイバ心線を収納し、前記スロットの外周に粗巻き紐、押え巻きテープを施してなる光ケーブルコアの解体方法であって、
前記押え巻きテープの上から、光ケーブルコアの長手方向に沿って、前記粗巻き紐の融点より高い温度に保持したカッターを用いて前記押え巻きテープと前記粗巻き紐を切断することを特徴とする光ケーブルコアの解体方法。
【請求項３】
切断した粗巻き紐をブラシ手段で取り除くことを特徴とする請求項１又は２に記載の光ケーブルコアの解体方法。
【請求項４】
溝付きスロットの溝内に光ファイバ心線を収納し、前記スロットの外周に粗巻き紐を施してなる光ケーブルコアの解体装置であって、
前記粗巻き紐を溶融切断する熱線手段を備えていることを特徴とする光ケーブルコアの解体装置。
【請求項５】
溝付きスロットの溝内に光ファイバ心線を収納し、前記スロットの外周に粗巻き紐、押え巻きテープを施してなる光ケーブルコアの解体装置であって、
前記押え巻きテープと前記粗巻き紐を光ケーブルコアの長手方向に沿って切断するカッターを有し、前記カッターは前記粗巻き紐の融点より高い温度に保持する加熱手段を備えていることを特徴とする光ケーブルコアの解体装置。
【発明の詳細な説明】
【技術分野】
【０００１】
本発明は、溝付きスロットの溝内に多数本の光ファイバ心線を収納し、スロットの外周に粗巻き紐を施してなる光ケーブルコアの解体方法及び解体装置に関する。
【背景技術】
【０００２】
情報通信の進展により光ケーブルを用いたネットワーク化が進むなかで、使用済み光ケーブルの廃棄量も増大しているが、地球環境保護と資源の有効利用の観点から、光ケーブルのリサイクルに対する対応が求められている。光ケーブルのリサイクルを実施するに当たって、リサイクルコストやリサイクル品の品質、また、リサイクルを考慮した光ケーブルに関して、今までにも種々の提案がなされている。
【０００３】
光ケーブルは、単心のものから１０００心を超えるものもある。代表的な光ケーブルとしては、溝付きスロットの溝内に数百心の単心又はテープ状の光ファイバ心線を収納し、この外周に止水又は外被成形時の熱絶縁のための押え巻きテープを、螺旋巻きあるいは縦添えで施し、その外側をケーブル外被で覆った構造のものがある。この光ケーブルのリサイクルでは、ケーブル外被又はスロットのプラスチック材（通常、ポリエチレン）が対象とされるが、ケーブル外被のみを再利用するか、スロット（スペーサとも呼ばれている）のみを再利用するか、又はケーブル外被とスロットの両方を再利用するかによって、リサイクルの形態も多少異なっている。
【０００４】
例えば、特許文献１には、ケーブル外被を再利用するに際して、ケーブル外被の剥ぎ取りの段階で吸水テープ材等の異物を除去でき、再生化段階での異物除去に要する設備、マンナワーの低減を図るための解体方法が開示されている。この解体方法では、ケーブル外被に剥離のための切り込みを入れる際に、ケーブル外被内面に接する押え巻きテープ材に達しないように薄皮を残して切り込むようにしている。
【０００５】
また、特許文献２には、スペーサ（スロット）を再利用するに際して、スペーサ本体内からテンションメンバを小さい剥離引取り力でスムーズに剥離する方法が開示されている。この方法は、スペーサ本体に剥離のためのスリットを切り込んだ後、外周から圧力を加えてスペーサ本体に接着状態にあるテンションメンバを分離する。次いで、傾斜する分離プレートに設けたガイド孔からテンションメンバのみを挿通させて引出し、スペーサ本体を分離プレートの外面に乗り上げるようにして分離解体している。
【０００６】
また、特許文献３には、スペーサ（スロット）とケーブルシース（ケーブル外被）の両方を再利用するに際して、スペーサとケーブルシースの樹脂材料を効率的に回収し、リサイクル処理の低コスト化を図るための光ケーブルが開示されている。この光ケーブルは、スペーサ（例えば、高密度ポリエチレン）とケーブルシース（例えば、低密度ポリエチレン）の熱可塑性樹脂の密度を同程度にし、また、スペーサ内の抗張力（テンションメンバ）に添わせてスペーサを引裂くための引裂き用抗張力体を埋設している。
【０００７】
また、特許文献４には、シース（ケーブル外被）を再利用するに際して、シースのリサイクル時にシース内面に配される押え巻きテープの不織布繊維が不純物として混入しないようにする光ケーブルが開示されている。この光ケーブルは、シースを外層シースと内層シースの２層構造とし、内層シースに押出し成形時に外層シースと熱融着しない材料を用いている。内層シース自体には、不織布が直接接触して不織布繊維が混入するが、外層シースには不織布繊維が混入しないので、外層シースを良質なリサイクル品として再利用できるようにしている。
【特許文献１】特開２００５−３２６６５６号公報
【特許文献２】特開２００１−３０１９３号公報
【特許文献３】特開２００４−２４００６１号公報
【特許文献４】特開２００４−２０６１９号公報
【発明の開示】
【発明が解決しようとする課題】
【０００８】
図３は、上述した従来技術による溝付きスロットを用いた光ケーブルのリサイクル方法の一例を示す図である。光ケーブル１は、図に示すように中心にテンションメンバ３を埋設一体化し、複数の溝２ａを設けたプラスチック材からなるスロット２により構成される。スロット２の溝２ａは螺旋状又はＳＺ状に形成され、溝２ａ内には複数本の光ファイバ心線又はテープ状の光ファイバ心線４が集線され収納される。光ケーブルの製造過程で、光ファイバ心線４を溝２ａ内に収納した直後、溝２ａから光ファイバ心線４が脱落する（特に、ＳＺ状スロットの場合）のを防止するために、粗巻き紐５がスロット２の外周に直ちに螺旋状に巻き付けられる。
【０００９】
粗巻き紐５が施されたスロット２の外周には、ケーブル内への止水又は外被成形時の熱絶縁のための押え巻きテープ６を螺旋巻きあるいは縦添えで施し、その外側をケーブル外被７で被覆して光ケーブル１とされる。なお、螺旋溝を有するスロットの場合は、粗巻き紐５を用いずに押え巻きテープ６で光ファイバ心線の脱落を防止することも可能であるが、ＳＺ溝を有するスロットの場合は、光ファイバの脱落防止のために、複数本の光ファイバ心線を集線してスロット２の溝２ａに収納すると同時に、押え巻きテープ６を施すのは難しく製造線速を遅くする必要などがあり効率的でない。このため、通常は、ＳＺスロットを用いる場合、複数本の光ファイバ心線４を収納する地点近くで、巻き付けが容易な繊維束からなる粗巻き紐５で光ファイバ心線４の脱落を防止してから、押え巻きテープ６を施している。
【００１０】
上述した光ケーブル１をリサイクルする場合、例えば、前記特許文献１に開示のようなケーブル外被７に切り込みを入れる外被切り込み処理手段１０と、切り込みを入れたケーブル外被７を２分する外被分離処理手段１１を用いてケーブル外被７を除去する。外被切り込み処理手段１０は、位置調整が可能な第１のケーブル保持ローラ１０ａと、第２の保持ローラ１０ｂで光ケーブル１の保持位置を調整し、外被カッター１０ｃを光ケーブル外被７の両側から当てて切り込みを入れる。外被分離処理手段１１は、２分割された外被破材７ａを、例えば、外被ガイドローラ１１ａを経てピンチローラからなる外被引取りローラ１１ｂで引取り、排出シュータ（図示省略）に送り込んで再利用に供する。
【００１１】
次いで、押え巻き除去手段１２により押え巻きテープ６とその内側の粗巻き紐５を切断して除去する。この押え巻き除去手段１２は、例えば、ケーブル外被７が除去され、表面に押え巻きテープ６が施された状態の光ケーブルコアの外面に押え巻きカッター１２ａで切り込みを入れて、押え巻きテープ６をテープ屑６ａに、粗巻き紐５を紐屑５ａにする。そして、紐屑５ａ及びテープ屑６ａは廃棄容器１２ｃに自然に落下させるか、あるいはスロットの位置決めにも用いられるダイス１２ｂでスロット表面をしごくことによって、強制的に落下させることにより回収する。
【００１２】
この後、光ファイバ心線回収手段１３により、スロット２の解放された溝２ａから光ファイバ心線４を引き出して除去する。光ファイバ心線回収手段１３は、例えば、心線ガイドローラ１３ａを経て、ピンチローラからなる引取ローラ１３ｂ又はドラムで直接巻き取って回収する。光ファイバ心線４が除去されたスロット２は、例えば、前記特許文献２に開示のようなテンションメンバ剥離手段１４を用いてスロットからテンションメンバを分離する。このテンションメンバ剥離手段１４は、スロット２の両側面にスロットカッター１４ａによる切り込みを入れて側面を圧縮することにより、テンションメンバ３との密着を分離する。次いで、分離装置１４ｂを用いて、２分割されたスロット破材２ｂとテンションメンバ３とに分離し、スロット破材２ｂは再利用に供され、テンションメンバ３はドラム等に巻き取って処分される。
【００１３】
上述のリサイクル処理の押え巻き除去手段１２において、押え巻きテープ６と粗巻き紐５に対して、除去のために押え巻きカッター１２ａにより切り込みを入れるが、粗巻き紐５が切断されずに残ってしまうことがある。この理由としては、カッター１２ａがスロットのリブ部にある粗巻き紐に当たる場合は、リブ部が壁となって粗巻き紐が逃げないため比較的切断しやすいが、スロットの溝部を跨る粗巻き紐は、カッター１２ａに対し逃げるため、切断されないことがある。また、端部が切断された粗巻き紐５は張力が開放された状態となって弛むため、押え巻きカッター１２ａが当たっても切断されずにスロットの長手方向に逃げてしまうことがある。
【００１４】
粗巻き紐５に切断できない部分が生じると、スロットに巻き付いた紐自体が緩みやすくなって、リブ部上の粗巻き紐５に対しての切断もできなくなることがある。そのため、切断が不十分となり、粗巻き紐５と押え巻きテープ６を自然に落下させて完全に除去することは困難となることがあった。さらに、ダイス等を用いてスロット表面をしごいて除去する場合も、粗巻き紐５は溜まり絡まって毛玉状に固まって、押え巻きテープの切断を妨げたり、ダイス１２ｂの通し穴を塞いでスロット２の移動が停止されるなどの障害を発生し、効率のよいケーブル解体ができないという問題があった。
【００１５】
本発明は、上述した実情に鑑みてなされたもので、光ファイバ心線がスロットの溝から脱落するのを防止する粗巻き紐を、確実に切断除去することができる光ケーブルコアの解体方法及び解体装置の提供を目的とする。
【課題を解決するための手段】
【００１６】
本発明による光ケーブルコアの解体方法及び解体装置は、溝付きスロットの溝内に光ファイバ心線を収納し、スロットの外周に粗巻き紐を施してなる光ケーブルコアの解体方法及び解体装置であって、熱線手段等により粗巻き紐の融点より高い温度を加えることにより、粗巻き紐を溶融切断するようにしたものである。また、押え巻きテープの上から、光ケーブルコアの長手方向に沿って、粗巻き紐の融点より高い温度に保持したカッターを用いて、押え巻きテープと粗巻き紐を切断するようにしてもよい。さらに、溶融により切断した粗巻き紐がスロット上に付着する場合は、ブラシ手段で取り除くようにする。
【発明の効果】
【００１７】
本発明の光ケーブルコアの解体方法によれば、粗巻き紐が加熱溶融により短い長さで確実に切断することができ、短片状に切断された押え巻きテープとともにスロット上から容易に剥ぎ取ることができる。この結果、スロットの移動がスムースとなり、光ケーブルコアを効率よく解体することが可能となる。
【発明を実施するための最良の形態】
【００１８】
図により本発明の実施の形態を説明する。図１は第１の実施形態を説明する図、図２は第２の実施形態を説明する図である。図中、１は光ケーブル、２はスロット、２ａは溝、３はテンションメンバ、４は光ファイバ心線、５は粗巻き紐、６は押え巻きテープ、７はケーブル外被、１５，１８はカッター、１６は熱線手段、１７はブラシ手段、１９は加熱手段を示す。
【００１９】
光ケーブル１は、図に示すように中心にテンションメンバ（抗張力体とも言う）３を埋設一体化し、複数の溝２ａを設けたプラスチック材からなるスロット（スペーサとも言う）２により構成される。スロット２の溝２ａは、螺旋状又はＳＺ状に形成され、溝２ａ内には複数本の光ファイバ心線又はテープ状の光ファイバ心線４が収納される。光ケーブルの製造過程で、光ファイバ心線４が溝２ａ内に収納された後、溝２ａから脱落する（特に、ＳＺスロットの場合）のを防止するために、粗巻き紐５が直ちにスロット２の外周に巻き付けられる。
【００２０】
粗巻き紐５は、例えば、ナイロン繊維を紐状に束ねたもので、太さが１２６０デニールのものが用いられる。また、１００心程度の光ケーブルで、スロット外径が９ｍｍ程度の場合、粗巻き紐５は２０ｍｍピッチで２条の紐を巻きつけて（１０ｍｍピッチとなる）形成される。なお、粗巻き紐５は、ナイロン繊維、アラミド繊維などのポリアミド系繊維、ポリエステル系繊維、アクリル系繊維、ポロオレフィン系繊維などの種々の材料を用いることができるが、押え巻きテープ６を施す前に光ファイバ心線４が溝２ａから脱落しない程度に保持されていればよく、取扱い性がよくて安価なものが用いられる。
【００２１】
粗巻き紐５が施されたスロット２の外周には、ケーブル内への止水のため、又は外被成形時に成形材が光ファイバ心線に直接接触しないように熱絶縁のための押え巻きテープ６が施される。この押え巻きテープ６は、螺旋巻きあるいは縦添えで施され、その外側をケーブル外被７で被覆して光ケーブル１とされる。螺旋スロットの場合は、粗巻き紐５を用いずに押え巻きテープ６で光ファイバ心線４の脱落を防止することも可能であるが、ＳＺスロットの場合は集線して溝２ａに収納した後、直ちに粗巻き紐５を施す必要がある。なお、光ファイバ心線４の収納直後に押え巻きテープ６を施すのは技術的に難しく、製造線速を遅くする必要などがあり効率的でない。このため、通常は、ＳＺスロットを用いる場合、粗巻き紐５で光ファイバ心線４の脱落を防止してから押え巻きテープ６が施されている。
【００２２】
押え巻きテープ６には、テープ幅が２０ｍｍ〜３０ｍｍ程度のものが用いられ、螺旋巻きする場合には、例えば、１／５ラップ程度の重ね巻きで形成される。なお、縦添えで形成する場合は、重ねしろを含むテープ幅のものが用いられる。押え巻きテープ６が縦添えで施される場合は、押え巻きテープの縦添え接合部分に接着剤を塗布するか、前記テープ上に粗巻き紐が施される。この押え巻きテープ６は、ポリエステル、ポリエチレン、ポリプロピレン等の繊維からなる種々のものが用いられる。
【００２３】
ケーブル外被（シースとも言う）７は、一般にポリエチレンで形成され、再利用が可能な材料である。しかし、このケーブル外被７には押え巻きテープ６の繊維が混入しやすく、再生化したときの品質を低下させる。このため、不純物が混入しない純度の高い再生品を得る場合には、特許文献４に開示のようにリサイクル品に供される外層外被と、押え巻きテープ６の混入が許容される内層外被の２層で形成するようにしてもよい。
【００２４】
スロット２は、中心にテンションメンバ３を有し、光ケーブル１に高い抗張力を持たせるためにスロット２とテンションメンバ３は接着一体化されている必要がある。一方、スロット２を再利用するには、溝２ａ内に収納された光ファイバ心線４を除去し、スロット２とテンションメンバ３を剥離する必要がある。これには、例えば、特許文献２に開示の剥離方法を用いたり、或いは、特許文献３に開示のように、スロットを引裂くための引裂き用抗張力体を埋設しておくようにしてもよい。
【００２５】
上述したような光ケーブル１は、本発明による図１又は図２に示すような解体方法を用いることにより、効率的に解体することができる。しかし、光ケーブル１の全体的な解体は、図３で説明したのと同様な処理形態を基本としている。すなわち、ケーブル外被７のリサイクルには、例えば、前記特許文献１に開示のようなケーブル外被７に切り込みを入れる外被切り込み処理手段１０と、切り込みを入れたケーブル外被７を２分する外被分離処理手段１１を用いて、ケーブル外被７を除去する。
【００２６】
外被切り込み処理手段１０は、位置調整が可能な第１のケーブル保持ローラ１０ａと第２の保持ローラ１０ｂで光ケーブル１の保持位置を調整し、外被カッター１０ｃを光ケーブル外被７の両側から当てて切り込みを入れる。外被分離処理手段１１は、２分割された外被破材７ａを、例えば、外被ガイドローラ１１ａを経てピンチローラからなる外被引取りローラ１１ｂで引取り、排出シュータ（図示省略）に送り込んで再利用に供する。なお、ケーブル外被７が除去され、押え巻きテープ６が露出された状態を、本発明では光ケーブルコアと呼ぶ。
【００２７】
本発明においては、特に、次の押え巻き除去手段１２により光ケーブルコア上の押え巻きテープ６とその内側の粗巻き紐５を確実に切断して除去する方法にある。この押え巻き除去手段１２では、図１（Ａ）に示すように、例えば、光ケーブルコアの長手方向に沿ってカッター１５を用いて押え巻きテープ６に切り込みを入れて切断除去した後、熱線手段１６等により粗巻き紐５の融点より高い温度（但し、粗巻き紐の発火点以下の温度で、例えば、ナイロン繊維の場合は１８０℃〜２００℃）で加熱する。粗巻き紐５は、押え巻きテープ６に切り込みを入れるカッター１５により切断される場合もあるが、切断されない場合は熱線手段１６により加熱溶融されて切断される。
【００２８】
粗巻き紐５が溶融切断された後、切断された紐屑５ａが溶融時の熱でスロット上に付着した状態で残る場合がある。このような場合は、図１（Ｂ）に示すように熱線手段１６の下流に配した回転ブラシ等のブラシ手段１７で強制的に剥ぎ取るようにする。これにより、紐屑５ａ及び切断された短片状のテープ屑６ａは自然に落ちるが、それでもスロット上に残るような場合は、図３に示すようにダイス１２ｂなどによりしごかれて落下し、廃棄容器１２ｃで回収される。
【００２９】
また、図２（Ａ）に示すように、例えば、光ケーブルコアの長手方向に沿って押え巻きテープ６に切り込みを入れるカッター１８をヒータ等の加熱手段１９により、粗巻き紐５の融点より高い温度（但し、押え巻きテープ及び粗巻き紐の発火点以下の温度で、例えば、粗巻き紐がナイロン繊維の場合は１８０℃〜２００℃）に加熱保持しておく。この構成によれば、カッター１５により押え巻きテープ６が切断されると同時に、カッターの熱により粗巻き紐５が溶融切断される。切り込みを入れるカッター１５により切断される場合もあるが、加熱溶融も加わって確実に切断される。
【００３０】
また、切断された粗巻き紐の紐屑５ａあるいは押え巻きテープのテープ屑６ａが、溶融時の熱でスロット上に付着した状態で残る場合がある。このような場合は、図１（Ｂ）の場合と同様に、図２（Ｂ）に示すように下流に配した回転ブラシ等のブラシ手段１７で強制的に剥ぎ取るようにする。これにより、紐屑５ａ及び切断された短片状のテープ屑６ａは自然に落ちるが、それでもスロット上に残るような場合は、図３に示すようにダイス１２ｂなどによりしごかれて落下し、廃棄容器１２ｃで回収される。
【００３１】
この後、図３で説明したように、光ファイバ心線回収手段１３により、スロット２の解放された溝２ａから光ファイバ心線４を引出して除去する。光ファイバ心線回収手段１３は、例えば、心線ガイドローラ１３ａを経て、ピンチローラからなる引取ローラ１３ｂ又はドラムで直接巻き取って回収する。また、光ファイバ心線４が除去されたスロット２は、例えば、前記特許文献２に開示のようなテンションメンバ剥離手段１４を用いてスロットからテンションメンバを分離する。このテンションメンバ剥離手段１４は、スロット２の両側にスロットカッター１４ａによる切り込みを入れて側面を圧縮してテンションメンバ３との密着を分離する。次いで、分離装置１４ｂを用いて、２分割されたスロット破材２ｂとテンションメンバ３とに分離し、スロット破材２ｂは再利用に供され、テンションメンバ３はドラム等に巻き取って処理される。
【図面の簡単な説明】
【００３２】
【図１】本発明の第１の実施形態を説明する図である。
【図２】本発明の第２の実施形態を説明する図である。
【図３】従来技術による溝付きスロットを用いた光ケーブルのリサイクルの一例を示す図である。
【符号の説明】
【００３３】
１…光ケーブル、２…スロット、２ａ…溝、３…テンションメンバ、４…光ファイバ心線、５…粗巻き紐、６…押え巻きテープ、７…ケーブル外被、１０…外被切り込み処理手段、１１…外被分離処理手段、１２…押え巻き除去手段、１３…光ファイバ心線回収手段、１４…テンションメンバ剥離手段、１５，１８…カッター、１６…熱線手段、１７…ブラシ手段、１９…加熱手段。
【図１】
2007279200.tif 000003
【図２】
2007279200.tif 000004
【図３】
2007279200.tif 000005